(57)【要約】  端末装置は、第１のデータを含む上り信号及び第１のデータよりも優先度が高い第２のデータを含む上り信号に送信電力を割り当てる割当部と、第１のデータを含む上り信号に割り当てられる送信電力が所定レベルに達しない場合に、第１のデータを含む上り信号の送信を停止する送信制御部と、送信が停止された場合に、下り回線におけるデータの受信に成功した旨を示す第１のデータであるＡＣＫをバッファに格納するバッファ管理部と、ＡＣＫがバッファに格納された旨を報告してデータに関する再送制御を保留させるバッファ状態報告を第２のデータを含む上り信号を用いて送信する送信部とを有する。
2019082279.tif 000002
【特許請求の範囲】
【請求項１】
第１のデータを含む上り信号及び前記第１のデータよりも優先度が高い第２のデータを含む上り信号に送信電力を割り当てる割当部と、
前記第１のデータを含む上り信号に割り当てられる送信電力が所定レベルに達しない場合に、前記第１のデータを含む上り信号の送信を停止する送信制御部と、
前記送信が停止された場合に、下り回線におけるデータの受信に成功した旨を示す前記第１のデータであるＡＣＫをバッファに格納するバッファ管理部と、
前記ＡＣＫが前記バッファに格納された旨を報告して前記データに関する再送制御を保留させるバッファ状態報告を前記第２のデータを含む上り信号を用いて送信する送信部と
を有することを特徴とする端末装置。
【請求項２】
前記バッファ状態報告に従って前記データに関する再送制御を保留する基地局装置から、前記再送制御が保留されている旨を示す保留情報を受信する受信部をさらに有し、
前記バッファ管理部は、
前記第１のデータを含む上り信号に割り当てられる送信電力が所定レベルに達し且つ前記保留情報が受信された場合に、前記バッファからＡＣＫを読み出し、
前記送信部は、
前記バッファから読み出されたＡＣＫを含む上り信号を送信することにより、前記基地局装置に前記再送制御を再開させることを特徴とする請求項１に記載の端末装置。
【請求項３】
下り回線におけるデータの受信に成功した旨を示すデータであるＡＣＫが端末装置のバッファに格納された旨を報告して前記データに関する再送制御を保留させるバッファ状態報告を受信する受信部と、
受信されたバッファ状態報告に従って、前記データに関する再送制御を保留する再送制御部と
を有することを特徴とする基地局装置。
【請求項４】
第１のデータを含む上り信号を送信するための第１の上り回線及び前記第１のデータよりも優先度が高い第２のデータを含む上り信号を送信するための第２の上り回線を設定する上り回線設定部と、
前記第１のデータを含む上り信号及び前記第２のデータを含む上り信号に送信電力を割り当てる割当部と、
前記第１のデータを含む上り信号に割り当てられる送信電力が所定レベルに達しない場合に、前記第１のデータを含む上り信号の送信を停止する送信制御部と、
前記送信が停止された場合に、下り回線におけるデータの受信に成功した旨を示す前記第１のデータであるＡＣＫをバッファに格納するバッファ管理部と、
前記上り回線設定部によって前記第１の上り回線及び前記第２の上り回線が設定される場合に、前記ＡＣＫが前記バッファに格納される旨を予告して前記データに関する再送制御を保留させるバッファリング予告を送信する送信部と
を有することを特徴とする端末装置。
【請求項５】
第１のデータを含む上り信号を送信するための第１の上り回線及び第１のデータよりも優先度が高い第２のデータを含む上り信号を送信するための第２の上り回線が設定された場合に、下り回線におけるデータの受信に成功した旨を示す前記第１のデータであるＡＣＫが端末装置のバッファに格納される旨を予告するバッファリング予告を受信する受信部と、
前記バッファリング予告と前記第１のデータの復号結果とに従って、前記データに関する再送制御を保留する再送制御部と
を有することを特徴とする基地局装置。
【請求項６】
端末装置と、基地局装置とを有する無線通信システムであって、
前記端末装置は、
第１のデータを含む上り信号及び前記第１のデータよりも優先度が高い第２のデータを含む上り信号に送信電力を割り当てる割当部と、
前記第１のデータを含む上り信号に割り当てられる送信電力が所定レベルに達しない場合に、前記第１のデータを含む上り信号の送信を停止する送信制御部と、
前記送信が停止された場合に、下り回線におけるデータの受信に成功した旨を示す前記第１のデータであるＡＣＫをバッファに格納するバッファ管理部と、
前記ＡＣＫが前記バッファに格納された旨を報告して前記データに関する再送制御を保留させるバッファ状態報告を前記第２のデータを含む上り信号を用いて送信する送信部とを有し、
前記基地局装置は、
前記送信部から送信されたバッファ状態報告を受信する受信部と、
受信されたバッファ状態報告に従って、前記データに関する再送制御を保留する再送制御部とを有する
ことを特徴とする無線通信システム。
【請求項７】
端末装置と、基地局装置とを有する無線通信システムにおける無線通信方法であって、
第１のデータを含む上り信号及び前記第１のデータよりも優先度が高い第２のデータを含む上り信号に送信電力を割り当て、
前記第１のデータを含む上り信号に割り当てられる送信電力が所定レベルに達しない場合に、前記第１のデータを含む上り信号の送信を停止し、
前記送信が停止された場合に、下り回線におけるデータの受信に成功した旨を示す前記第１のデータであるＡＣＫをバッファに格納し、
前記ＡＣＫが前記バッファに格納された旨を報告して前記データに関する再送制御を保留させるバッファ状態報告を前記第２のデータを含む上り信号を用いて送信し、
前記基地局装置は、
前記端末装置から送信されたバッファ状態報告を受信し、
受信されたバッファ状態報告に従って、前記データに関する再送制御を保留する
処理を有することを特徴とする無線通信方法。
【発明の詳細な説明】
【技術分野】
【０００１】
本発明は、端末装置、基地局装置、無線通信システム及び無線通信方法に関する。
【背景技術】
【０００２】
現在のネットワークは、モバイル端末（スマートフォンやフィーチャーホン）のトラフィックがネットワークのリソースの大半を占めている。また、モバイル端末が使うトラフィックは、今後も拡大していく傾向にある。【０００３】
一方で、ＩｏＴ（Internet  of  things）サービス（例えば、交通システム、スマートメータ、装置等の監視システム）の展開に合わせて、多様な要求条件を持つサービスに対応することが期待されている。そのため、次世代（例えば、５Ｇ（第５世代移動体通信））の通信規格では、４Ｇ（第４世代移動体通信）の標準技術に加えて、さらなる高データレート化、大容量化、低遅延化を実現する技術が期待されている。なお、次世代通信規格については、３ＧＰＰの作業部会（例えば、ＴＳＧ−ＲＡＮ  ＷＧ１、ＴＳＧ−ＲＡＮ  ＷＧ２等）で技術検討が進められている。【０００４】
上記で述べたように、多種多様なサービスに対応するために、５Ｇでは、ｅＭＢＢ（Enhanced  Mobile  BroadBand）、Ｍａｓｓｉｖｅ  ＭＴＣ（Machine  Type  Communications)、及びＵＲＬＬＣ（Ultra−Reliable  and  Low  Latency  Communication）に分類される多くのユースケースのサポートが想定されている。【０００５】
その中でも、ＵＲＬＬＣは実現が最も困難なユースケースである。まず、無線区間でのエラーレートを１０-5のオーダーにするという超高信頼性の要求がある。超高信頼性を実現する１つの方法として、使用リソース量を増やしてデータに冗長性を持たせる方法がある。しかし、無線リソースには限りがあるので、無制限に使用リソースを増やすことはできない。【０００６】
低遅延に関しても、ＵＲＬＬＣでは、上り回線及び下り回線におけるユーザプレーンの無線区間での遅延を０．５ミリ秒とすることが目標とされている。これは４Ｇ無線システムＬＴＥ（Long  Term  Evolution）の１／１０未満という高い要求である。ＵＲＬＬＣでは、上記のような超高信頼性と低遅延の２つの要求を同時に満たすことが望まれている。【０００７】
また、５Ｇでは、超高信頼低遅延通信データ（ＵＲＬＬＣデータ）と、他のデータ（例えば、ｅＭＢＢデータ等）とを同一キャリアで同時にサポートできることが望まれている。その実現のために、超高信頼低遅延通信データ（ＵＲＬＬＣデータ）及び他のデータ（例えば、ｅＭＢＢデータ等）に送信電力を個別に割り当てる技術が提案されている。
【先行技術文献】
【非特許文献】
【０００８】
【非特許文献１】”Summary  of  power  control”,  ZTE,  R1-1711724,  3GPP  TSG  RAN  WG1  NR  Ad-Hoc#2,  Qingdao,P.R  China,  27.-30.  June,  2017
【発明の概要】
【発明が解決しようとする課題】
【０００９】
ところで、端末装置がｅＭＢＢデータ及びＵＲＬＬＣデータを同時に基地局装置へ送信する場合、より優先度が高いＵＲＬＬＣデータに優先的に送信電力が割り当てられることが考えられる。このため、ｅＭＢＢデータに割り当てられる送信電力が低下し、基地局装置においてｅＭＢＢデータを正しく受信（復号）するための所定レベルを下回ることがある。ｅＭＢＢデータには、例えば、ハイブリッド自動再送要求（ＨＡＲＱ：Hybrid  Automatic  Repeat  reQuest）において下り回線におけるデータの再送を制御するためのＡＣＫ（ACKnowledgement）／ＮＡＣＫ（Negative  ACKnowledgement）が含まれる。【００１０】
上り回線においてｅＭＢＢデータとして送信されるＡＣＫがｅＭＢＢデータの送信電力の低下に起因して基地局装置において正しく受信（復号）されない場合、基地局装置は、下り回線におけるデータの受信（復号）に失敗したと判断し、データの再送を行う。しかしながら、このようなデータの再送は、ｅＭＢＢデータの送信電力が所定レベルに達している場合には、本来発生するはずのない無駄な再送である。【００１１】
開示の技術は、下り回線における無駄な再送を抑制することができる端末装置、基地局装置、無線通信システム及び無線通信方法を提供することを目的とする。
【課題を解決するための手段】
【００１２】
本願の開示する端末装置は、一つの態様において、第１のデータを含む上り信号及び前記第１のデータよりも優先度が高い第２のデータを含む上り信号に送信電力を割り当てる割当部と、前記第１のデータを含む上り信号に割り当てられる送信電力が所定レベルに達しない場合に、前記第１のデータを含む上り信号の送信を停止する送信制御部と、前記送信が停止された場合に、下り回線におけるデータの受信に成功した旨を示す前記第１のデータであるＡＣＫをバッファに格納するバッファ管理部と、前記ＡＣＫが前記バッファに格納された旨を報告して前記データに関する再送制御を保留させるバッファ状態報告を前記第２のデータを含む上り信号を用いて送信する送信部とを有する。
【発明の効果】
【００１３】
本願の開示する端末装置の一つの態様によれば、下り回線における無駄な再送を抑制することができるという効果を奏する。
【図面の簡単な説明】
【００１４】
【図１】図１は、実施例１に係る無線通信システムの構成例を示す図である。
【図２】図２は、実施例１に係る端末装置の構成例を示すブロック図である。
【図３】図３は、実施例１に係るバッファ管理部の一例を示す図である。
【図４Ａ】図４Ａは、ＢＳＲ挿入の対象となるリソースの構成の具体例（その１）を示す図である。
【図４Ｂ】図４Ｂは、ＢＳＲ挿入の対象となるリソースの構成の具体例（その２）を示す図である。
【図４Ｃ】図４Ｃは、ＢＳＲ挿入の対象となるリソースの構成の具体例（その３）を示す図である。
【図４Ｄ】図４Ｄは、ＢＳＲ挿入の対象となるリソースの構成の具体例（その４）を示す図である。
【図５】図５は、実施例１に係る基地局装置の構成例を示すブロック図である。
【図６】図６は、実施例１に係る無線通信方法の一例を示すシーケンス図である。
【図７】図７は、実施例１に係るＡＣＫバッファリング動作の一例を示すフローチャートである。
【図８】図８は、実施例１に係る再送制御動作の一例を示すフローチャートである。
【図９】図９は、実施例２に係る端末装置の構成例を示すブロック図である。
【図１０】図１０は、実施例２に係る基地局装置の構成例を示すブロック図である。
【図１１】図１１は、実施例２に係る無線通信方法の一例を示すシーケンス図である。
【図１２】図１２は、実施例２に係る再送制御動作の一例を示すフローチャートである。
【発明を実施するための形態】
【００１５】
以下に、本願の開示する端末装置、基地局装置、無線通信システム及び無線通信方法の実施例を図面に基づいて詳細に説明する。なお、各実施例により開示技術が限定されるものではない。また、各実施例において同等の機能を有する構成には同一の符号を付し、重複する説明は省略される。
【実施例１】
【００１６】
図１は、実施例１に係る無線通信システムの構成例を示す図である。図１に示す無線通信システムは、端末装置１００及び基地局装置２００を有する。端末装置１００及び基地局装置２００は、上り回線及び下り回線において、例えば、ｅＭＢＢデータ及びＵＲＬＬＣデータ等のデータを送受信する。端末装置１００と基地局装置２００との間の上り回線には、ｅＭＢＢデータ用の上り回線（以下「ｅＭＢＢ上り回線」と呼ぶ）と、ＵＲＬＬＣデータ用の上り回線（以下「ＵＲＬＬＣ上り回線」と呼ぶ）とが含まれる。５Ｇにおいて、ＵＲＬＬＣデータは、ｅＭＢＢデータよりも低遅延で伝送されることが期待されており、ｅＭＢＢデータよりも優先度が高い。なお、ｅＭＢＢデータは、第１のデータの一例であり、ＵＲＬＬＣデータは、第２のデータの一例である。【００１７】
端末装置１００は、ｅＭＢＢ上り回線及びＵＲＬＬＣ上り回線においてｅＭＢＢデータ及びＵＲＬＬＣデータを同時に送信する際、ｅＭＢＢデータを含む上り信号及びＵＲＬＬＣデータを含む上り信号に送信電力を割り当てる。以下では、ｅＭＢＢデータを含む上り信号を「ｅＭＢＢ送信信号」と呼び、ＵＲＬＬＣデータを含む上り信号を「ＵＲＬＬＣ送信信号」と呼ぶ。ｅＭＢＢ上り回線において送信されるｅＭＢＢデータには、下り回線におけるデータの再送を制御するためのＡＣＫ／ＮＡＣＫが含まれる。ＵＲＬＬＣデータは、ＡＣＫ／ＮＡＣＫ等のｅＭＢＢデータよりも優先度が高いため、端末装置１００は、ＵＲＬＬＣデータを含む上り信号、つまり、ＵＲＬＬＣ送信信号に優先的に送信電力を割り当てる。このため、ｅＭＢＢ送信信号に割り当てられる送信電力が基地局装置２００においてｅＭＢＢデータを正しく受信（復号）するための所定レベルに達しない場合が想定される。この場合、端末装置１００は、ｅＭＢＢ送信信号の送信を停止し、ｅＭＢＢデータのうち、下り回線におけるデータの受信に成功した旨を示すｅＭＢＢデータであるＡＣＫを端末装置１００内のバッファに格納する。そして、端末装置１００は、ＡＣＫがバッファに格納された旨を報告するバッファ状態報告（ＢＳＲ：Buffer  Statement  Report）をＵＲＬＬＣ送信信号を用いて送信し、基地局装置２００にＡＣＫに応じたデータに関する再送制御を保留させる。【００１８】
また、端末装置１００は、再送制御を保留している基地局装置２００から、再送制御が保留されている旨を示す保留情報を受信する。そして、端末装置１００は、受信された保留情報に従って、バッファからＡＣＫを読み出し、ＡＣＫを含む上り信号を送信することにより、基地局装置２００に再送制御を再開させる。【００１９】
基地局装置２００は、端末装置１００から送信されたＢＳＲを受信し、ＢＳＲに従って下り回線におけるデータに関する再送制御を保留する。また、基地局装置２００は、端末装置１００から、ＡＣＫを含む上り信号を受信し、ＡＣＫに応じたデータの再送制御を再開させる。【００２０】
これにより、ｅＭＢＢデータに割り当てられる送信電力が不足する場合に、基地局装置２００における再送制御を保留させることができる。結果として、下り回線において本来発生するはずのない無駄な再送を抑制することができる。【００２１】
図２は、実施例１に係る端末装置１００の構成例を示すブロック図である。図２に示す端末装置１００は、プロセッサ１００ａ、無線送信部１００ｂ及び無線受信部１００ｃを有する。【００２２】
プロセッサ１００ａは、例えばＣＰＵ（Central  Processing  Unit）、ＦＰＧＡ（Field  Programmable  Gate  Array）又はＤＳＰ（Digital  Signal  Processor）などを備え、端末装置１００全体を統括制御する。具体的には、プロセッサ１００ａは、パスロス測定部１０１、送信電力割当部１０２、送信制御部１０３、バッファ管理部１０４、ｅＭＢＢ送信信号生成部１０５、ＵＲＬＬＣ送信信号生成部１０６及びＢＳＲ挿入部１０７を有する。また、プロセッサ１００ａは、ＰＤＣＣＨ（Physical  Downlink  Control  Channel）復号部１０８、ＤＣＩ（Downlink  Control  Information）判定部１０９及びＰＤＳＣＨ（Physical  Downlink  Shared  Channel）復号部１１０を有する。また、プロセッサ１００ａは、ＡＣＫ／ＮＡＣＫ生成部１１１を有する。【００２３】
パスロス測定部１０１は、無線受信部１００ｃから受信信号の入力を受ける。受信信号には、基地局装置２００から下り回線に送信された参照信号が含まれる。パスロス測定部１０１は、参照信号の受信電力を測定し、測定した受信電力を予め定められた参照信号の送信電力から減算することにより、パスロス測定値を測定する。パスロス測定部１０１は、パスロス測定値を送信電力割当部１０２へ出力する。【００２４】
送信電力割当部１０２は、ｅＭＢＢ上り回線において基地局装置２００へ送信されるｅＭＢＢ送信信号、及びＵＲＬＬＣ上り回線において基地局装置２００へ送信されるＵＲＬＬＣ送信信号に送信電力を割り当てる。すなわち、送信電力割当部１０２は、セルｃのサブフレームｉに関して、例えば、次の数式（１）に示す計算を行い、送信電力ＰＰＵＳＣＨ，ｃ，ＵＲＬＬＣ（ｉ）をＵＲＬＬＣ送信信号に割り当てる。【００２５】
【数１】
2019082279.tif 000003
【００２６】
数式（１）中のＰＣＭＡＸ，ｃ（ｉ）は、端末装置１００においてＵＲＬＬＣ上り回線及びｅＭＢＢ上り回線で使用可能な最大送信電力である。ＭＰＵＳＣＨ，ｃ，ＵＲＬＬＣ（ｉ）は、ＵＲＬＬＣ上り回線に割り当てられた帯域幅である。ＰＯ＿ＰＵＳＣＨ，ｃ，ＵＲＬＬＣ（ｊ）は、目標受信電力である。αｃ，ＵＲＬＬＣ（ｊ）は、パスロス補償係数である。ＰＬｃは、パスロス測定値である。ΔＴＦ，ｃ，ＵＲＬＬＣ（ｉ）は、符号化率・変調方式に基づく補正値である。ｆｃ，ＵＲＬＬＣ（ｉ）は、ＴＰＣ（Transmission  Power  Control）コマンド値である。なお、ＭＰＵＳＣＨ，ｃ，ＵＲＬＬＣ（ｉ）、ＰＯ＿ＰＵＳＣＨ，ｃ，ＵＲＬＬＣ（ｊ）、αｃ，ＵＲＬＬＣ（ｊ）、ΔＴＦ，ｃ，ＵＲＬＬＣ（ｉ）及びｆｃ，ＵＲＬＬＣ（ｉ）は、電力情報として基地局装置２００から端末装置１００へ通知される。【００２７】
続いて、送信電力割当部１０２は、セルｃのサブフレームｉに関して、例えば、次の数式（２）に示す計算を行い、送信電力ＰＰＵＳＣＨ，ｃ，ｅＭＢＢ（ｉ）をｅＭＢＢ送信信号（つまり、ＡＣＫ／ＮＡＣＫ）に割り当てる。【００２８】
【数２】
2019082279.tif 000004
【００２９】
数式（２）中のＰｒｅｑｕｉｒｅｄ＿ＰＵＳＣＨ，ｃ，ｅＭＢＢ（ｉ）は、基地局装置２００においてｅＭＢＢデータを正しく受信（復号）するために要求される目標送信電力であり、次の数式（３）のように表現される。【００３０】
【数３】
2019082279.tif 000005
【００３１】
数式（３）中のＭＰＵＳＣＨ，ｃ、ｅＭＢＢ（ｉ）は、ｅＭＢＢ上り回線に割り当てられた帯域幅である。ＰＯ＿ＰＵＳＣＨ，ｃ，ｅＭＢＢ（ｊ）は、目標受信電力である。αｃ，ｅＭＢＢ（ｊ）は、パスロス補償係数である。ＰＬｃは、パスロス測定値である。ΔＴＦ，ｃ，ｅＭＢＢ（ｉ）は、符号化率・変調方式に基づく補正値である。ｆｃ，ｅＭＢＢ（ｉ）は、ＴＰＣコマンド値である。なお、ＭＰＵＳＣＨ，ｃ、ｅＭＢＢ（ｉ）、ＰＯ＿ＰＵＳＣＨ，ｃ，ｅＭＢＢ（ｊ）、αｃ，ｅＭＢＢ（ｊ）、ΔＴＦ，ｃ，ｅＭＢＢ（ｉ）及びｆｃ，ｅＭＢＢ（ｉ）は、電力情報として基地局装置２００から端末装置１００へ通知される。【００３２】
送信制御部１０３は、送信電力割当部１０２によってｅＭＢＢ送信信号（つまり、ＡＣＫ／ＮＡＣＫ）に割り当てられる送信電力ＰＰＵＳＣＨ，ｃ，ｅＭＢＢ（ｉ）が所定レベルに達しない場合に、ｅＭＢＢ送信信号の送信を停止する。すなわち、送信制御部１０３は、次の数式（４）を用いて、送信電力ＰＰＵＳＣＨ，ｃ，ｅＭＢＢ（ｉ）が所定レベルに達しているか否かを判定する。【００３３】
【数４】
2019082279.tif 000006
【００３４】
数式（４）中のＰｔｈｒｅｓｈｏｌｄ，ｃ，ｅＭＢＢ（ｉ）は、判定用の閾値であり、端末装置１００に予め保持されても良いし、基地局装置２００から所定のシグナリングで通知されても良い。【００３５】
送信制御部１０３は、数式（４）の条件が成立する場合に、送信電力ＰＰＵＳＣＨ，ｃ，ｅＭＢＢ（ｉ）が所定レベルに達していないと判定する。そして、送信制御部１０３は、ｅＭＢＢデータを含む上り信号（つまり、ｅＭＢＢ送信信号）の出力を停止させるＤＴＸ（Discontinuous  Transmission）制御信号をｅＭＢＢ送信信号生成部１０５へ出力する。そして、送信制御部１０３は、ＡＣＫをバッファに格納させる旨を示す「Ｅｎａｂｌｅ」をバッファリング制御信号にセットし、当該バッファリング制御信号をバッファ管理部１０４へ出力する。さらに、送信制御部１０３は、ＡＣＫがバッファに格納された旨を報告するＢＳＲ、すなわち、「ｔｒｕｅ」がセットされたＢＳＲをＢＳＲ挿入部１０７へ出力する。【００３６】
一方、送信制御部１０３は、数式（４）の条件が成立しない場合に、送信電力ＰＰＵＳＣＨ，ｃ，ｅＭＢＢ（ｉ）が所定レベルに達していると判定する。この場合、送信制御部１０３は、上記のＤＴＸ制御信号を出力しない。そして、送信制御部１０３は、ＡＣＫをバッファに格納しない旨を示す「Ｄｉｓａｂｌｅ」をバッファリング制御信号にセットし、当該バッファリング制御信号をバッファ管理部１０４へ出力する。さらに、送信制御部１０３は、ＡＣＫがバッファに格納されていない旨を報告するＢＳＲ、すなわち、「ｆａｌｓｅ」がセットされたＢＳＲをＢＳＲ挿入部１０７へ出力する。【００３７】
バッファ管理部１０４は、ｅＭＢＢ送信信号の送信が停止された場合に、ＡＣＫをバッファに格納する。また、バッファ管理部１０４は、ｅＭＢＢ送信信号に割り当てられる送信電力ＰＰＵＳＣＨ，ｃ，ｅＭＢＢ（ｉ）が所定レベルに達し且つ基地局装置２００から保留情報が受信された場合に、バッファからＡＣＫを読み出す。なお、バッファ管理部１０４は、ｅＭＢＢ送信信号の送信が停止されていない場合には、ＡＣＫ／ＮＡＣＫ生成部１１１により生成されるＡＣＫ／ＮＡＣＫをｅＭＢＢ送信信号生成部１０５へ出力する。【００３８】
例えば、バッファ管理部１０４は、図３に示すように、バッファ１２１、選択部１２２及びバッファ制御部１２３を有する。図３は、実施例１に係るバッファ管理部１０４の一例を示す図である。【００３９】
バッファ１２１は、バッファ制御部１２３による制御に従って、ＡＣＫ／ＮＡＣＫ生成部１１１により生成されるＡＣＫを一時的に記憶したり、ＡＣＫを読み出したりする。【００４０】
選択部１２２は、バッファ制御部１２３による制御に従って、バッファ１２１から読み出されたＡＣＫ、又はＡＣＫ／ＮＡＣＫ生成部１１１により生成されるＡＣＫ／ＮＡＣＫを、ｅＭＢＢ送信信号生成部１０５へ出力されるｅＭＢＢデータとして選択する。【００４１】
バッファ制御部１２３は、送信制御部１０３からバッファリング制御信号の入力を受ける。バッファ制御部１２３は、後述するＤＣＩ判定部１０９から再送保留信号の入力を受ける。再送保留信号は、基地局装置２００において再送制御が保留されているか否かを示す信号であり、再送制御が保留されている場合に、「Ｅｎａｂｌｅ」がセットされ、再送制御が保留されていない場合に、「Ｄｉｓａｂｌｅ」がセットされる。バッファ制御部１２３は、バッファリング制御信号と、再送保留信号とに基づいて、バッファ１２１及び選択部１２２を制御する。【００４２】
すなわち、バッファ制御部１２３は、バッファリング制御信号が「Ｅｎａｂｌｅ」であり且つ再送保留信号が「Ｄｉｓａｂｌｅ」である場合に、ＡＣＫをバッファ１２１に格納し、且つ選択部１２２による選択を中止する。また、バッファ制御部１２３は、バッファリング制御信号が「Ｅｎａｂｌｅ」であり且つ再送保留信号が「Ｅｎａｂｌｅ」である場合に、バッファ１２１に前回格納されたＡＣＫの読出しを中止し、且つ選択部１２２による選択を中止する。また、バッファ制御部１２３は、バッファリング制御信号が「Ｄｉｓａｂｌｅ」であり且つ再送保留信号が「Ｅｎａｂｌｅ」である場合に、バッファ１２１からＡＣＫを読み出し、バッファ１２１から読み出されたＡＣＫを選択部１２２に選択させる。これにより、バッファ１２１から読み出されたＡＣＫがｅＭＢＢ送信信号生成部１０５へ出力される。また、バッファ制御部１２３は、バッファリング制御信号が「Ｄｉｓａｂｌｅ」であり且つ再送保留信号が「Ｄｉｓａｂｌｅ」である場合に、ＡＣＫ／ＮＡＣＫ生成部１１１からのＡＣＫ／ＮＡＣＫを選択部１２２に選択させる。これにより、ＡＣＫ／ＮＡＣＫ生成部１１１からのＡＣＫ／ＮＡＣＫがｅＭＢＢ送信信号生成部１０５へ出力される。【００４３】
図２の説明に戻る。ｅＭＢＢ送信信号生成部１０５は、基地局装置２００へ送信されるｅＭＢＢ送信信号を生成する。すなわち、ｅＭＢＢ送信信号生成部１０５は、バッファ管理部１０４によりバッファから読み出されたＡＣＫ、又はＡＣＫ／ＮＡＣＫ生成部１１１により生成されるＡＣＫ／ＮＡＣＫをｅＭＢＢデータとして符号化及び変調する。そして、ｅＭＢＢ送信信号生成部１０５は、生成したｅＭＢＢ送信信号を無線送信部１００ｂへ出力する。ただし、ｅＭＢＢ送信信号生成部１０５は、送信制御部１０３から出力されるＤＴＸ制御信号に従って、送信電力ＰＰＵＳＣＨ，ｃ，ｅＭＢＢ（ｉ）が所定レベルに達していない場合には、ｅＭＢＢ送信信号の出力を停止する。【００４４】
ＵＲＬＬＣ送信信号生成部１０６は、基地局装置２００へ送信されるＵＲＬＬＣ送信信号を生成する。すなわち、ＵＲＬＬＣ送信信号生成部１０６は、上り回線のＵＲＬＬＣデータを符号化及び変調する。そして、ＵＲＬＬＣ送信信号生成部１０６は、生成したＵＲＬＬＣ送信信号を無線送信部１００ｂへ出力する。【００４５】
ＢＳＲ挿入部１０７は、送信制御部１０３から出力されるＢＳＲをＵＲＬＬＣ送信信号に挿入する。これにより、ＢＳＲが挿入されたＵＲＬＬＣ送信信号が無線送信部１００ｂへ出力され、無線送信部１００ｂにおいて、ＢＳＲがＵＲＬＬＣ送信信号を用いて基地局装置２００へ送信される。【００４６】
ここで、ＢＳＲ挿入部１０７によるＢＳＲ挿入について、具体的に説明する。図４Ａは、ＢＳＲ挿入の対象となるリソースの構成の具体例（その１）を示す図である。図４Ａでは、ＵＲＬＬＣ送信信号のＰＵＳＣＨ（Physical  Uplink  Shared  Channel）のリソースを示しており、ＰＵＳＣＨは、時間軸方向に配置された２つのシンボル領域にＤＲＳ（Demodulation  Reference  Signal）５０１，５０２を有する。ＢＳＲ６０１は、ＵＲＬＬＣ送信信号のＰＵＳＣＨにおいて、２つのＤＲＳ５０１，５０２のうち、よりシンボル番号が小さいＤＲＳ５０１に時間軸の後方から隣接するシンボル領域に挿入される。【００４７】
図４Ｂは、ＢＳＲ挿入の対象となるリソースの構成の具体例（その２）を示す図である。図４Ｂでは、ＵＲＬＬＣ送信信号のＰＵＳＣＨのリソースを示しており、ＰＵＳＣＨは、時間軸方向に配置された２つのシンボル領域にＤＲＳ５０１，５０２を有する。ＢＳＲ６０１は、ＵＲＬＬＣ送信信号のＰＵＳＣＨにおいて、２つのＤＲＳ５０１，５０２のうち、よりシンボル番号が大きいＤＲＳ５０２に時間軸の前方から隣接するシンボル領域に挿入される。【００４８】
図４Ｃは、ＢＳＲ挿入の対象となるリソースの構成の具体例（その３）を示す図である。図４Ｃでは、ＵＲＬＬＣ送信信号のＰＵＳＣＨのリソースを示しており、ＰＵＳＣＨは、時間軸方向に配置された１つのシンボル領域にＤＲＳ５０３を有する。ＢＳＲ６０１は、ＵＲＬＬＣ送信信号のＰＵＳＣＨにおいて、ＤＲＳ５０３に時間軸の後方から隣接するシンボル領域に挿入される。【００４９】
図４Ｄは、ＢＳＲ挿入の対象となるリソースの構成の具体例（その４）を示す図である。図４Ｄでは、ＵＲＬＬＣ送信信号のＰＵＳＣＨのリソースを示しており、ＰＵＳＣＨは、時間軸方向に配置された１つのシンボル領域にＤＲＳ５０３を有する。ＢＳＲ６０１は、ＵＲＬＬＣ送信信号のＰＵＳＣＨにおいて、ＤＲＳ５０３に時間軸の前方から隣接するシンボル領域に挿入される。【００５０】
図２の説明に戻る。ＰＤＣＣＨ復号部１０８は、無線受信部１００ｃから受信信号の入力を受ける。受信信号には、基地局装置２００から下り回線に送信されるＰＤＣＣＨの信号が含まれる。ＰＤＣＣＨの信号には、下り回線制御情報（ＤＣＩ：Downlink  Control  Information）が含まれる。ＰＤＣＣＨ復号部１０８は、ＰＤＣＣＨの信号を復調及び復号して、ＤＣＩを取得する。そして、ＰＤＣＣＨ復号部１０８は、ＤＣＩをＤＣＩ判定部１０９へ出力する。【００５１】
ＤＣＩ判定部１０９は、ＰＤＣＣＨ復号部１０８からＤＣＩの入力を受ける。ＤＣＩ判定部１０９は、ＤＣＩの内容に応じてＰＤＳＣＨ復号部１１０における処理内容を決定し、且つ、再送保留信号をバッファ管理部１０４へ出力する。すなわち、ＤＣＩ判定部１０９は、ＤＣＩが基地局装置２００から下り回線に送信されたデータが新規データであることを示す「新規情報」である場合に、新規データに応じた復調及び復号をＰＤＳＣＨ復号部１１０へ指示する。このとき、ＤＣＩ判定部１０９は、バッファ管理部１０４へ出力する再送保留信号に「Ｄｉｓａｂｌｅ」をセットする。また、ＤＣＩ判定部１０９は、ＤＣＩが基地局装置２００から下り回線に送信されたデータが再送データであることを示す「再送情報」である場合に、再送データに応じた復調及び復号をＰＤＳＣＨ復号部１１０へ指示する。このとき、ＤＣＩ判定部１０９は、バッファ管理部１０４へ出力する再送保留信号に「Ｄｉｓａｂｌｅ」をセットする。また、ＤＣＩ判定部１０９は、ＤＣＩが基地局装置２００における再送制御が保留されている旨を示す「保留情報」である場合に、ＰＤＳＣＨ復号部１１０における処理を停止し、バッファ管理部１０４へ出力する再送保留信号に「Ｅｎａｂｌｅ」をセットする。【００５２】
ＰＤＳＣＨ復号部１１０は、無線受信部１００ｃから受信信号の入力を受ける。受信信号には、基地局装置２００から下り回線に送信されるＰＤＳＣＨの信号が含まれる。ＰＤＳＣＨ復号部１１０は、ＤＣＩ判定部１０９による指示に応じてＰＤＳＣＨの信号を復調及び復号して、データを取得する。そして、ＰＤＳＣＨ復号部１１０は、データが正常に復号されたか否かを判定し、データの復号の成否をＡＣＫ／ＮＡＣＫ生成部１１１へ通知する。ただし、ＰＤＳＣＨ復号部１１０は、ＤＣＩ判定部１０９により処理の停止が指示された場合には、処理を停止する。【００５３】
ＡＣＫ／ＮＡＣＫ生成部１１１は、データの復号の成否の通知をＰＤＳＣＨ復号部１１０から受ける。そして、ＡＣＫ／ＮＡＣＫ生成部１１１は、データの復号（受信）に成功した旨を示すＡＣＫ、又はデータの復号（受信）に失敗した旨を示すＮＡＣＫを生成し、生成したＡＣＫ／ＮＡＣＫをバッファ管理部１０４へ出力する。【００５４】
無線送信部１００ｂは、プロセッサ１００ａから出力される送信信号、つまり、ｅＭＢＢ送信信号及びＵＲＬＬＣ送信信号に対して、例えばＤ／Ａ（Digital/Analog）変換及びアップコンバートなどの無線送信処理を施す。そして、無線送信部１００ｂは、アンテナを介してｅＭＢＢ送信信号及びＵＲＬＬＣ送信信号を送信する。このとき、ＵＲＬＬＣ送信信号には、ＡＣＫがバッファに格納されていない旨を報告するＢＳＲがＢＳＲ挿入部１０７により挿入されている。ただし、無線送信部１００ｂは、プロセッサ１００ａによるｅＭＢＢ送信信号の出力が停止されると、ＵＲＬＬＣ送信信号のみを送信する。このとき、ＵＲＬＬＣ送信信号には、ＡＣＫがバッファに格納された旨を報告するＢＳＲが挿入されている。すなわち、無線送信部１００ｂは、ＡＣＫがバッファに格納された旨を報告するＢＳＲをＵＲＬＬＣ送信信号を用いて送信する。【００５５】
無線受信部１００ｃは、アンテナを介して信号を受信し、受信信号に対して、例えばダウンコンバート及びＡ／Ｄ（Analog/Digital）変換などの無線受信処理を施す。そして、無線受信部１００ｃは、受信信号をパスロス測定部１０１、ＰＤＣＣＨ復号部１０８及びＰＤＳＣＨ復号部１１０へ出力する。【００５６】
図５は、実施例１に係る基地局装置２００の構成例を示すブロック図である。図５に示す基地局装置２００は、プロセッサ２００ａ、無線送信部２００ｂ及び無線受信部２００ｃを有する。【００５７】
プロセッサ２００ａは、例えばＣＰＵ、ＦＰＧＡ又はＤＳＰなどを備え、基地局装置２００全体を統括制御する。具体的には、プロセッサ２００ａは、ｅＭＢＢデータ復号部２０１、ＵＲＬＬＣデータ復号部２０２、ＢＳＲ抽出部２０３及び再送制御部２０４を有する。また、プロセッサ２００ａは、ＰＤＣＣＨ生成部２０５、電力情報管理部２０６、ＰＤＳＣＨ生成部２０７及び再送用バッファ２０８を有する。【００５８】
ｅＭＢＢデータ復号部２０１は、無線受信部２００ｃから受信信号の入力を受ける。受信信号には、ｅＭＢＢ上り回線において端末装置１００から送信されたｅＭＢＢ送信信号が含まれる。ｅＭＢＢ送信信号は、ｅＭＢＢ送信信号に割り当てられる送信電力が不足する場合に端末装置１００によりｅＭＢＢ送信信号の送信が停止されるため、常に受信信号に含まれるわけではない。ｅＭＢＢデータ復号部２０１は、受信信号に含まれるｅＭＢＢ送信信号を復調及び復号して、ｅＭＢＢデータ（つまり、ＡＣＫ／ＮＡＣＫ）を取得する。ｅＭＢＢデータ復号部２０１は、ＡＣＫ／ＮＡＣＫ、又は、ＡＣＫ及びＮＡＣＫのいずれも取得されない旨を示すＤＴＸをｅＭＢＢデータの復号（受信）結果として再送制御部２０４へ出力する。【００５９】
ＵＲＬＬＣデータ復号部２０２は、無線受信部２００ｃから受信信号の入力を受ける。受信信号には、ＵＲＬＬＣ上り回線において端末装置１００から送信されたＵＲＬＬＣ送信信号が含まれる。ＵＲＬＬＣデータ復号部２０２は、受信信号に含まれるＵＲＬＬＣ送信信号を復調及び復号して、ＵＲＬＬＣデータを取得する。【００６０】
ＢＳＲ抽出部２０３は、ＵＲＬＬＣデータ復号部２０２により復調及び復号されるＵＲＬＬＣ送信信号からＢＳＲを抽出し、抽出したＢＳＲを再送制御部２０４へ出力する。【００６１】
再送制御部２０４は、ｅＭＢＢデータ復号部２０１からｅＭＢＢデータの復号（受信）結果の入力を受ける。再送制御部２０４は、ＢＳＲ抽出部２０３からＢＳＲの入力を受ける。再送制御部２０４は、ｅＭＢＢデータの復号結果とＢＳＲとに基づいて、端末装置１００に対する再送制御を保留する。【００６２】
具体的には、再送制御部２０４は、ＢＳＲに「ｔｒｕｅ」がセットされている場合、すなわち、ＡＣＫが端末装置１００のバッファに格納されている場合、ｅＭＢＢデータの復号結果に関わらず、端末装置１００に対する再送制御を保留する。すなわち、再送制御部２０４は、端末装置１００に対する再送制御が保留されている旨を示す「保留情報」をＤＣＩとしてＰＤＣＣＨ生成部２０５へ出力し、ＰＤＳＣＨ生成部２０７にＰＤＳＣＨの信号の出力の停止を指示する。【００６３】
また、再送制御部２０４は、ＢＳＲに「ｆａｌｓｅ」がセットされている場合、すなわち、ＡＣＫが端末装置１００のバッファに格納されていない場合、ｅＭＢＢデータの復号結果に応じた再送制御を実行する。すなわち、再送制御部２０４は、ｅＭＢＢデータの復号結果がＡＣＫである場合に、下り回線に送信されるデータが新規データである旨を示す「新規情報」をＤＣＩとしてＰＤＣＣＨ生成部２０５へ出力し、新規データをＰＤＳＣＨ生成部２０７へ出力する。【００６４】
一方、再送制御部２０４は、ｅＭＢＢデータの復号結果がＮＡＣＫ又はＤＴＸであると、下り回線に送信されるデータが再送データである旨を示す「再送情報」をＤＣＩとしてＰＤＣＣＨ生成部２０５へ出力し、再送データの再送をＰＤＳＣＨ生成部２０７へ指示する。【００６５】
ＰＤＣＣＨ生成部２０５は、再送制御部２０４からＤＣＩの入力を受ける。ＰＤＣＣＨ生成部２０５は、ＤＣＩを符号化及び変調して、ＤＣＩを含むＰＤＣＣＨの信号を生成する。ＰＤＣＣＨ生成部２０５は、ＤＣＩを含むＰＤＣＣＨの信号を送信信号として無線送信部２００ｂへ出力する。【００６６】
電力情報管理部２０６は、ｅＭＢＢ上り回線において端末装置１００から送信されるｅＭＢＢ送信信号及びＵＲＬＬＣ上り回線において端末装置１００から送信されるＵＲＬＬＣ送信信号に割り当てられる送信電力の算出に用いられる電力情報を保持する。【００６７】
ＰＤＳＣＨ生成部２０７は、再送制御部２０４から入力される新規データを符号化及び変調して、新規データを含むＰＤＳＣＨの信号を生成する。ＰＤＳＣＨ生成部２０７は、新規データを含むＰＤＳＣＨの信号を送信信号として無線送信部２００ｂへ出力する。【００６８】
また、ＰＤＳＣＨ生成部２０７は、再送制御部２０４から再送データの再送を指示された場合、再送用バッファ２０８に格納されたデータの中から、再送対象となるデータを取得する。そして、ＰＤＳＣＨ生成部２０７は、取得したデータを符号化及び変調して、再送データを含むＰＤＳＣＨの信号を生成する。ＰＤＳＣＨ生成部２０７は、再送データを含むＰＤＳＣＨの信号を送信信号として無線送信部２００ｂへ出力する。【００６９】
また、ＰＤＳＣＨ生成部２０７は、再送制御部２０４による制御に従って、ＰＤＳＣＨの信号の出力を停止する。【００７０】
再送用バッファ２０８は、ＰＤＳＣＨ生成部２０７から出力されるＰＤＳＣＨの信号の一時的な記憶領域である。ＰＤＳＣＨ生成部２０７から出力されるＰＤＳＣＨの信号が新規データを含むＰＤＳＣＨの信号である場合、再送用バッファ２０８は、過去に記憶されたＰＤＳＣＨの信号を破棄し、現在のＰＤＳＣＨの信号を記憶する。また、ＰＤＳＣＨ生成部２０７から出力されるＰＤＳＣＨの信号が再送データを含むＰＤＳＣＨの信号である場合、又は、ＰＤＳＣＨ生成部２０７からのＰＤＳＣＨの信号の出力が停止された場合、過去に記憶されたＰＤＳＣＨの信号を継続的に保持する。【００７１】
無線送信部２００ｂは、プロセッサ２００ａから出力される送信信号、つまり、新規データを含むＰＤＳＣＨの信号又は再送データを含むＰＤＳＣＨの信号に対して、例えばＤ／Ａ変換及びアップコンバートなどの無線送信処理を施す。そして、無線送信部２００ｂは、アンテナを介して送信信号を送信する。【００７２】
無線受信部２００ｃは、アンテナを介して信号を受信し、受信信号に対して、例えばダウンコンバート及びＡ／Ｄ変換などの無線受信処理を施す。そして、無線受信部２００ｃは、受信信号をｅＭＢＢデータ復号部２０１及びＵＲＬＬＣデータ復号部２０２へ出力する。【００７３】
次に、上記のように構成された無線通信システムにおける無線通信方法について、図６を参照しながら説明する。図６は、実施例１に係る無線通信方法の一例を示すシーケンス図である。【００７４】
基地局装置２００は、新規データを含むＰＤＳＣＨの信号を下り回線を用いて送信する（ステップＳ１０１）。端末装置１００によるＵＲＬＬＣデータの送信が発生していない間、端末装置１００は、下り回線におけるデータの受信（復号）の成否を示すＡＣＫ／ＮＡＣＫをｅＭＢＢデータとして含むｅＭＢＢ送信信号を送信する。そして、基地局装置２００は、ＡＣＫ／ＮＡＣＫに応じて新規データ又は再送データを送信する。【００７５】
そして、端末装置１００においてＵＲＬＬＣデータが発生すると（ステップＳ１０２）、端末装置１００は、ｅＭＢＢ送信信号及びＵＲＬＬＣ送信信号に送信電力を割り当てる（ステップＳ１０３）。ＵＲＬＬＣデータは、ＡＣＫ／ＮＡＣＫ等のｅＭＢＢデータよりも優先度が高いため、端末装置１００は、ＵＲＬＬＣデータを含む上り信号、つまり、ＵＲＬＬＣ送信信号に優先的に送信電力を割り当てる。このため、ｅＭＢＢ送信信号に割り当てられる送信電力が基地局装置２００においてｅＭＢＢデータを正しく受信（復号）するための所定レベルに達しない場合が想定される。【００７６】
この場合、端末装置１００は、ＡＣＫ／ＮＡＣＫをｅＭＢＢデータとして含むｅＭＢＢ送信信号の送信を停止する（ステップＳ１０４）。そして、端末装置１００は、ｅＭＢＢデータのうち、下り回線におけるデータの受信に成功した旨を示すｅＭＢＢデータであるＡＣＫを端末装置１００内のバッファに格納する（ステップＳ１０５）。そして、端末装置１００は、ＡＣＫが端末装置１００内のバッファに格納された旨を報告するＢＳＲをＵＲＬＬＣ送信信号に挿入する（ステップＳ１０６）。そして、端末装置１００は、当該ＢＳＲをＵＲＬＬＣ送信信号を用いて送信する（ステップＳ１０７）。【００７７】
基地局装置２００は、端末装置１００から送信されたＢＳＲを受信すると、ＢＳＲに従って下り回線におけるデータに関する再送制御を保留する（ステップＳ１０８）。そして、基地局装置２００は、端末装置１００に対する再送制御が保留されている旨を示す「保留情報」をＤＣＩとして含むＰＤＣＣＨの信号を下り回線を用いて送信する（ステップＳ１０９）。【００７８】
端末装置１００は、「保留情報」をＤＣＩとして含むＰＤＣＣＨの信号を受信すると、「保留情報」に従って、ＡＣＫをバッファから読み出し（ステップＳ１１０）、ＡＣＫを含む上り信号を送信する（ステップＳ１１１）。【００７９】
基地局装置２００は、ＡＣＫを含む上り信号を受信すると、端末装置１００に対する再送制御を再開する（ステップＳ１１２）。図６の例では、基地局装置２００は、ＡＣＫに応じて、再送用バッファ２０８において過去に記憶されたＰＤＳＣＨの信号を破棄し、新規データを含むＰＤＳＣＨの信号を下り回線を用いて送信する。【００８０】
次に、端末装置１００におけるＡＣＫバッファリング動作について、図７を参照しながら説明する。図７は、実施例１に係るＡＣＫバッファリング動作の一例を示すフローチャートである。【００８１】
端末装置１００のバッファ管理部１０４は、バッファリング制御信号が「Ｅｎａｂｌｅ」であり且つ再送保留信号が「Ｄｉｓａｂｌｅ」である場合に（ステップＳ１２１Ｙｅｓ且つステップＳ１２２Ｎｏ）、ＡＣＫをバッファ１２１に格納する（ステップＳ１２３）。このとき、バッファ管理部１０４は、選択部１２２による選択を中止する。これにより、選択部１２２からｅＭＢＢ送信信号生成部１０５へＡＣＫ／ＮＡＣＫがｅＭＢＢデータとして出力されなくなる。【００８２】
また、バッファ制御部１２３は、バッファリング制御信号が「Ｅｎａｂｌｅ」であり且つ再送保留信号が「Ｅｎａｂｌｅ」である場合に（ステップＳ１２１Ｙｅｓ且つステップＳ１２２Ｙｅｓ）、バッファ１２１に前回格納されたＡＣＫの読み出しを中止する（ステップＳ１２４）。このとき、バッファ管理部１０４は、選択部１２２による選択を中止する。これにより、選択部１２２からｅＭＢＢ送信信号生成部１０５へＡＣＫ／ＮＡＣＫがｅＭＢＢデータとして出力されなくなる。【００８３】
また、バッファ制御部１２３は、バッファリング制御信号が「Ｄｉｓａｂｌｅ」であり且つ再送保留信号が「Ｅｎａｂｌｅ」である場合に（ステップＳ１２１Ｎｏ且つステップＳ１２５Ｙｅｓ）、バッファ１２１からＡＣＫを読み出す（ステップＳ１２６）。このとき、バッファ制御部１２３は、バッファ１２１から読み出されたＡＣＫを選択部１２２に選択させる。これにより、バッファ１２１から読み出されたＡＣＫがｅＭＢＢ送信信号生成部１０５へ出力され、ｅＭＢＢ送信信号生成部１０５においてＡＣＫをｅＭＢＢデータとして含むｅＭＢＢ送信信号が生成される。【００８４】
また、バッファ制御部１２３は、バッファリング制御信号が「Ｄｉｓａｂｌｅ」であり且つ再送保留信号が「Ｄｉｓａｂｌｅ」である場合に（ステップＳ１２１Ｎｏ且つステップＳ１２５Ｎｏ）、ＡＣＫ／ＮＡＣＫ生成部１１１からのＡＣＫ／ＮＡＣＫを選択部１２２に選択させる。これにより、ＡＣＫ／ＮＡＣＫ生成部１１１からのＡＣＫ／ＮＡＣＫがｅＭＢＢ送信信号生成部１０５へ出力される（ステップＳ１２７）。【００８５】
次に、基地局装置２００における再送制御動作について、図８を参照しながら説明する。図８は、実施例１に係る再送制御動作の一例を示すフローチャートである。【００８６】
基地局装置２００の再送制御部２０４は、ＢＳＲに「ｔｒｕｅ」がセットされている場合、すなわち、ＡＣＫが端末装置１００のバッファに格納されている場合（ステップＳ１３１Ｙｅｓ）、ｅＭＢＢデータの復号結果に関わらず、端末装置１００に対する再送制御を保留する（ステップＳ１３２）。すなわち、再送制御部２０４は、端末装置１００に対する再送制御が保留されている旨を示す「保留情報」をＤＣＩとしてＰＤＣＣＨ生成部２０５へ出力し、ＰＤＳＣＨ生成部２０７にＰＤＳＣＨの信号の出力の停止を指示する。これにより、ＰＤＳＣＨ生成部２０７からのＰＤＳＣＨの信号の出力が停止される。さらに、ＰＤＣＣＨ生成部２０５において「保留情報」を含むＰＤＣＣＨの信号が生成され、無線送信部２００ｂを介して当該ＰＤＣＣＨの信号が送信信号として送信される。「保留情報」を含むＰＤＣＣＨの信号を受信した端末装置１００は、「保留情報」に従って、ＡＣＫをバッファから読み出し、ＡＣＫを含む上り信号を送信する。【００８７】
また、再送制御部２０４は、ＢＳＲに「ｆａｌｓｅ」がセットされている場合、すなわち、ＡＣＫが端末装置１００のバッファに格納されていない場合（ステップＳ１３１Ｎｏ）、ｅＭＢＢデータの復号結果に応じた再送制御を実行する。すなわち、再送制御部２０４は、ｅＭＢＢデータの復号結果がＡＣＫである場合（ステップＳ１３３Ｙｅｓ）、下り回線に送信されるデータが新規データである旨を示す「新規情報」をＤＣＩとしてＰＤＣＣＨ生成部２０５へ出力し、新規データをＰＤＳＣＨ生成部２０７へ出力する。これにより、ＰＤＳＣＨ生成部２０７において新規データを含むＰＤＳＣＨの信号が生成され、無線送信部２００ｂを介して当該ＰＤＳＣＨの信号が送信信号として送信される（ステップＳ１３４）。さらに、ＰＤＣＣＨ生成部２０５において「新規情報」を含むＰＤＣＣＨの信号が生成され、無線送信部２００ｂを介して当該ＰＤＣＣＨの信号が送信信号として送信される。【００８８】
一方、再送制御部２０４は、ｅＭＢＢデータの復号結果がＮＡＣＫ又はＤＴＸである場合（ステップＳ１３３Ｎｏ）、下り回線に送信されるデータが再送データである旨を示す「再送情報」をＤＣＩとしてＰＤＣＣＨ生成部２０５へ出力し、再送データの再送をＰＤＳＣＨ生成部２０７へ指示する。これにより、ＰＤＳＣＨ生成部２０７において再送データを含むＰＤＳＣＨの信号が生成され、無線送信部２００ｂを介して当該ＰＤＳＣＨの信号が送信信号として送信される（ステップＳ１３５）。さらに、ＰＤＣＣＨ生成部２０５において「再送情報」を含むＰＤＣＣＨの信号が生成され、無線送信部２００ｂを介して当該ＰＤＣＣＨの信号が送信信号として送信される。【００８９】
以上のように、本実施例によれば、上り回線のｅＭＢＢデータ及びＵＲＬＣＣデータが同時に発生する状況下でｅＭＢＢ送信信号の送信電力が所定レベルに達しないと、端末装置は、ｅＭＢＢ送信信号を停止し、ｅＭＢＢデータであるＡＣＫをバッファに格納する。そして、端末装置は、ＡＣＫが端末装置のバッファに格納された旨を報告するＢＳＲをＵＲＬＣＣ送信信号を用いて送信し、基地局装置に下り回線におけるデータに関する再送制御を保留させる。これにより、ｅＭＢＢデータに割り当てられる送信電力が不足する場合に、基地局装置における再送制御を保留させることができる。結果として、下り回線において本来発生するはずのない無駄な再送を抑制することができる。【００９０】
なお、上記実施例１では、ｅＭＢＢ送信信号に割り当てられる送信電力を用いてｅＭＢＢ送信信号の送信停止を判断したが、さらに、ｅＭＢＢ送信信号に含まれる複数のＡＣＫ／ＮＡＣＫを考慮してｅＭＢＢ送信信号の送信停止を判断しても良い。すなわち、端末装置１００が複数のＡＣＫ／ＮＡＣＫを一括で送信する場合を想定する。この場合、上記の数式（４）を用いて、送信電力ＰＰＵＳＣＨ，ｃ，ｅＭＢＢ（ｉ）が所定レベルに達していないと判定された場合、送信制御部１０３は、ｅＭＢＢ送信信号に含まれる複数のＡＣＫ／ＮＡＣＫが全てＮＡＣＫであるか否かを判定する。そして、送信制御部１０３は、ｅＭＢＢ送信信号に含まれる複数のＡＣＫ／ＮＡＣＫが全てＮＡＣＫである場合、ｅＭＢＢデータを含む上り信号（つまり、ｅＭＢＢ送信信号）の出力を停止させるＤＴＸ制御信号をｅＭＢＢ送信信号生成部１０５へ出力する。そして、送信制御部１０３は、ＡＣＫをバッファに格納しない旨を示す「Ｄｉｓａｂｌｅ」をバッファリング制御信号にセットし、当該バッファリング制御信号をバッファ管理部１０４へ出力する。さらに、送信制御部１０３は、ＡＣＫがバッファに格納されない旨を報告するＢＳＲ、すなわち、「ｆａｌｓｅ」がセットされたＢＳＲをＢＳＲ挿入部１０７へ出力する。【００９１】
また、送信制御部１０３は、ｅＭＢＢ送信信号に含まれる複数のＡＣＫ／ＮＡＣＫが全てＮＡＣＫでない場合、すなわち、ｅＭＢＢ送信信号に少なくとも１つのＡＣＫが含まれる場合、以下の処理を行う。すなわち、送信制御部１０３は、ｅＭＢＢデータを含む上り信号（つまり、ｅＭＢＢ送信信号）の出力を停止させるＤＴＸ制御信号をｅＭＢＢ送信信号生成部１０５へ出力する。そして、送信制御部１０３は、ＡＣＫをバッファに格納する旨を示す「Ｅｎａｂｌｅ」をバッファリング制御信号にセットし、当該バッファリング制御信号をバッファ管理部１０４へ出力する。さらに、送信制御部１０３は、ＡＣＫがバッファに格納される旨を報告するＢＳＲ、すなわち、「ｔｒｕｅ」がセットされたＢＳＲをＢＳＲ挿入部１０７へ出力する。【００９２】
一方、送信制御部１０３は、上記の数式（４）を用いて、送信電力ＰＰＵＳＣＨ，ｃ，ｅＭＢＢ（ｉ）が所定レベルに達していると判定された場合、上記のＤＴＸ制御信号を出力しない。そして、送信制御部１０３は、ＡＣＫをバッファに格納しない旨を示す「Ｄｉｓａｂｌｅ」をバッファリング制御信号にセットし、当該バッファリング制御信号をバッファ管理部１０４へ出力する。さらに、送信制御部１０３は、ＡＣＫがバッファに格納されていない旨を報告するＢＳＲ、すなわち、「ｆａｌｓｅ」がセットされたＢＳＲをＢＳＲ挿入部１０７へ出力する。
【実施例２】
【００９３】
実施例２の特徴は、ｅＭＢＢ上り回線及びＵＲＬＬＣ上り回線が設定された場合に、ＡＣＫが端末装置のバッファに格納される旨を予告して基地局装置に下り回線におけるデータに関する再送制御を保留させる点である。【００９４】
実施例２に係る無線通信システムは、実施例１に係る無線通信システム（図１）と同様であるため、その説明を省略する。図９は、実施例２に係る端末装置１００の構成例を示すブロック図である。図９において、図２と同じ部分には同じ符号を付し、その説明を省略する。図９に示す端末装置１００は、図２のＢＳＲ挿入部１０７に代えて、上り回線設定部１３１及びバッファリング予告（ＢＰ：Buffering  Prediction）生成部１３２を有する。【００９５】
上り回線設定部１３１は、ｅＭＢＢ送信信号を送信するためのｅＭＢＢ上り回線及びＵＲＬＬＣ送信信号を送信するためのＵＲＬＬＣ上り回線を設定する。上り回線設定部１３１は、基地局装置２００と協働して、例えばＲＲＣ（Radio  Resource  Control）シグナリングなどの上位レイヤのシグナリングによってｅＭＢＢ上り回線及びＵＲＬＬＣ上り回線を設定する。【００９６】
ＢＰ生成部１３２は、上り回線設定部１３１によってｅＭＢＢ上り回線及びＵＲＬＬＣ上り回線が設定される場合に、ＡＣＫが端末装置１００のバッファに格納される旨を予告するＢＰを生成する。すなわち、ＢＰ生成部１３２は、ｅＭＢＢ上り回線及びＵＲＬＬＣ上り回線の両方が設定される場合に、ＡＣＫが端末装置１００のバッファに格納される旨を示す「ｔｒｕｅ」がセットされたＢＰを生成する。なお、ＢＰ生成部１３２は、ｅＭＢＢ上り回線のみ又はＵＲＬＬＣ上り回線のみが設定された場合に、「ｆａｌｓｅ」がセットされたＢＰを生成する。そして、ＢＰ生成部１３２は、生成したＢＰをｅＭＢＢ送信信号生成部１０５又はＵＲＬＬＣ送信信号生成部１０６へ出力する。これにより、例えばＲＲＣシグナリングが実行される場合に、ｅＭＢＢ送信信号生成部１０５又はＵＲＬＬＣ送信信号生成部１０６により生成されるシグナリングメッセージにＢＰが挿入され、ＢＰが無線送信部１００ｂを介して送信される。【００９７】
図１０は、実施例２に係る基地局装置２００の構成例を示すブロック図である。図１０において、図５と同じ部分には同じ符号を付し、その説明を省略する。図１０に示す基地局装置２００は、図５のＢＳＲ抽出部２０３に代えて、上り回線設定部２１１及び再送制御部２１２を有する。【００９８】
上り回線設定部２１１は、端末装置１００と協働して、例えばＲＲＣシグナリングなどの上位レイヤのシグナリングによってｅＭＢＢ上り回線及びＵＲＬＬＣ上り回線を設定する。このとき、上り回線設定部２１１は、ｅＭＢＢデータ復号部２０１及びＵＲＬＬＣデータ復号部２０２により復号されるシグナリングメッセージからＢＰを抽出し、抽出したＢＰを再送制御部２１２へ出力する。【００９９】
再送制御部２１２は、ｅＭＢＢデータ復号部２０１からｅＭＢＢデータの復号（受信）結果の入力を受ける。再送制御部２１２は、上り回線設定部２１１からＢＰの入力を受ける。再送制御部２１２は、ＢＰとｅＭＢＢデータの復号（受信）結果とに基づいて、端末装置１００に対する再送制御を保留する。【０１００】
具体的には、再送制御部２１２は、ＢＰに「ｔｒｕｅ」がセットされている場合、すなわち、ＡＣＫが端末装置１００のバッファに格納される旨が予告された場合、以下の処理を行う。再送制御部２１２は、ｅＭＢＢデータの復号結果がＡＣＫである場合に、下り回線に送信されるデータが新規データである旨を示す「新規情報」をＤＣＩとしてＰＤＣＣＨ生成部２０５へ出力し、新規データをＰＤＳＣＨ生成部２０７へ出力する。また、再送制御部２１２は、ｅＭＢＢデータの復号結果がＮＡＣＫである場合に、下り回線に送信されるデータが再送データである旨を示す「再送情報」をＤＣＩとしてＰＤＣＣＨ生成部２０５へ出力し、再送データの再送をＰＤＳＣＨ生成部２０７へ指示する。【０１０１】
また、再送制御部２１２は、ｅＭＢＢデータの復号結果がＤＴＸである場合に、端末装置１００に対する再送制御を保留する。すなわち、再送制御部２１２は、端末装置１００に対する再送制御が保留されている旨を示す「保留情報」をＤＣＩとしてＰＤＣＣＨ生成部２０５へ出力し、ＰＤＳＣＨ生成部２０７にＰＤＳＣＨの信号の出力の停止を指示する。【０１０２】
一方、再送制御部２１２は、ＢＰに「ｆａｌｓｅ」がセットされている場合、すなわち、ＡＣＫが端末装置１００のバッファに格納される旨が予告されない場合、以下の処理を行う。再送制御部２１２は、ｅＭＢＢデータの復号結果がＡＣＫである場合に、下り回線に送信されるデータが新規データである旨を示す「新規情報」をＤＣＩとしてＰＤＣＣＨ生成部２０５へ出力し、新規データをＰＤＳＣＨ生成部２０７へ出力する。また、再送制御部２１２は、ｅＭＢＢデータの復号結果がＮＡＣＫである場合に、下り回線に送信されるデータが再送データである旨を示す「再送情報」をＤＣＩとしてＰＤＣＣＨ生成部２０５へ出力し、再送データの再送をＰＤＳＣＨ生成部２０７へ指示する。【０１０３】
次に、上記のように構成された無線通信システムにおける無線通信方法について、図１１を参照しながら説明する。図１１は、実施例２に係る無線通信方法の一例を示すシーケンス図である。【０１０４】
端末装置１００及び基地局装置２００は、例えばＲＲＣシグナリングなどの上位レイヤのシグナリングによってｅＭＢＢ上り回線及びＵＲＬＬＣ上り回線を設定する（ステップＳ１４１）。ｅＭＢＢ上り回線及びＵＲＬＬＣ上り回線の両方が設定されるため、端末装置１００は、ＡＣＫが端末装置１００のバッファに格納される旨を予告するＢＰを生成し、生成したＢＰをシグナリングメッセージを用いて送信する（ステップＳ１４２）。シグナリングメッセージを受信した基地局装置２００は、シグナリングメッセージからＢＰを抽出する。【０１０５】
基地局装置２００は、新規データを含むＰＤＳＣＨの信号を下り回線を用いて送信する（ステップＳ１４３）。端末装置１００によるＵＲＬＬＣデータの送信が発生していない間、端末装置１００は、下り回線におけるデータの受信（復号）の成否を示すＡＣＫ／ＮＡＣＫをｅＭＢＢデータとして含むｅＭＢＢ送信信号を送信する。そして、基地局装置２００は、ＡＣＫ／ＮＡＣＫに応じて新規データ又は再送データを送信する。【０１０６】
そして、端末装置１００においてＵＲＬＬＣデータが発生すると（ステップＳ１４４）、端末装置１００は、ｅＭＢＢ送信信号及びＵＲＬＬＣ送信信号に送信電力を割り当てる（ステップＳ１４５）。ＵＲＬＬＣデータは、ＡＣＫ／ＮＡＣＫ等のｅＭＢＢデータよりも優先度が高いため、端末装置１００は、ＵＲＬＬＣデータを含む上り信号、つまり、ＵＲＬＬＣ送信信号に優先的に送信電力を割り当てる。このため、ｅＭＢＢ送信信号に割り当てられる送信電力が基地局装置２００においてｅＭＢＢデータを正しく受信（復号）するための所定レベルに達しない場合が想定される。【０１０７】
この場合、端末装置１００は、ＡＣＫ／ＮＡＣＫをｅＭＢＢデータとして含むｅＭＢＢ送信信号の送信を停止する（ステップＳ１４６）。そして、端末装置１００は、ｅＭＢＢデータのうち、下り回線におけるデータの受信に成功した旨を示すｅＭＢＢデータであるＡＣＫを端末装置１００内のバッファに格納する（ステップＳ１４７）。そして、端末装置１００は、ＵＲＬＬＣ上り回線においてＵＲＬＬＣ送信信号を送信する（ステップＳ１４８）。【０１０８】
基地局装置２００は、ＡＣＫが端末装置１００のバッファに格納される旨がＢＰによって予告されているため、ｅＭＢＢデータの復号結果がＤＴＸである場合に、端末装置１００に対する再送制御を保留する（ステップＳ１４９、１５０）。そして、基地局装置２００は、端末装置１００に対する再送制御が保留されている旨を示す「保留情報」をＤＣＩとして含むＰＤＣＣＨの信号を下り回線を用いて送信する（ステップＳ１５１）。【０１０９】
端末装置１００は、「保留情報」をＤＣＩとして含むＰＤＣＣＨの信号を受信すると、「保留情報」に従って、ＡＣＫをバッファから読み出し（ステップＳ１５２）、ＡＣＫを含む上り信号を送信する（ステップＳ１５３）。【０１１０】
基地局装置２００は、ＡＣＫを含む上り信号を受信すると、端末装置１００に対する再送制御を再開する（ステップＳ１５４）。図１１の例では、基地局装置２００は、ＡＣＫに応じて、再送用バッファ２０８において過去に記憶されたＰＤＳＣＨの信号を破棄し、新規データを含むＰＤＳＣＨの信号を下り回線を用いて送信する。【０１１１】
次に、基地局装置２００における再送制御動作について、図１２を参照しながら説明する。図１２は、実施例２に係る再送制御動作の一例を示すフローチャートである。【０１１２】
再送制御部２１２は、ＢＰに「ｔｒｕｅ」がセットされている場合、すなわち、ＡＣＫが端末装置１００のバッファに格納される旨が予告された場合（ステップＳ１６１Ｙｅｓ）、以下の処理を行う。再送制御部２１２は、ｅＭＢＢデータの復号結果がＡＣＫである場合に（ステップＳ１６２Ｙｅｓ）、下り回線に送信されるデータが新規データである旨を示す「新規情報」をＤＣＩとしてＰＤＣＣＨ生成部２０５へ出力し、新規データをＰＤＳＣＨ生成部２０７へ出力する。これにより、ＰＤＳＣＨ生成部２０７において新規データを含むＰＤＳＣＨの信号が生成され、無線送信部２００ｂを介して当該ＰＤＳＣＨの信号が送信信号として送信される（ステップＳ１６３）。さらに、ＰＤＣＣＨ生成部２０５において「新規情報」を含むＰＤＣＣＨの信号が生成され、無線送信部２００ｂを介して当該ＰＤＣＣＨの信号が送信信号として送信される。【０１１３】
また、再送制御部２１２は、ｅＭＢＢデータの復号結果がＮＡＣＫである場合に（ステップＳ１６２Ｎｏ、ステップＳ１６４Ｙｅｓ）、下り回線に送信されるデータが再送データである旨を示す「再送情報」をＤＣＩとしてＰＤＣＣＨ生成部２０５へ出力し、再送データの再送をＰＤＳＣＨ生成部２０７へ指示する。これにより、ＰＤＳＣＨ生成部２０７において再送データを含むＰＤＳＣＨの信号が生成され、無線送信部２００ｂを介して当該ＰＤＳＣＨの信号が送信信号として送信される（ステップＳ１６５）。さらに、ＰＤＣＣＨ生成部２０５において「再送情報」を含むＰＤＣＣＨの信号が生成され、無線送信部２００ｂを介して当該ＰＤＣＣＨの信号が送信信号として送信される。【０１１４】
また、再送制御部２１２は、ｅＭＢＢデータの復号結果がＤＴＸである場合に（ステップＳ１６２Ｎｏ、ステップＳ１６４Ｎｏ）、端末装置１００に対する再送制御を保留する（ステップＳ１６６）。すなわち、再送制御部２１２は、端末装置１００に対する再送制御が保留されている旨を示す「保留情報」をＤＣＩとしてＰＤＣＣＨ生成部２０５へ出力し、ＰＤＳＣＨ生成部２０７にＰＤＳＣＨの信号の出力の停止を指示する。これにより、ＰＤＳＣＨ生成部２０７からのＰＤＳＣＨの信号の出力が停止される。さらに、ＰＤＣＣＨ生成部２０５において「保留情報」を含むＰＤＣＣＨの信号が生成され、無線送信部２００ｂを介して当該ＰＤＣＣＨの信号が送信信号として送信される。「保留情報」を含むＰＤＣＣＨの信号を受信した端末装置１００は、「保留情報」に従って、ＡＣＫをバッファから読み出し、ＡＣＫを含む上り信号を送信する。【０１１５】
一方、再送制御部２１２は、ＢＰに「ｆａｌｓｅ」がセットされている場合、すなわち、ＡＣＫが端末装置１００のバッファに格納される旨が予告されない場合（ステップＳ１６１Ｎｏ）、以下の処理を行う。再送制御部２１２は、ｅＭＢＢデータの復号結果がＡＣＫである場合に（ステップＳ１６７Ｙｅｓ）、下り回線に送信されるデータが新規データである旨を示す「新規情報」をＤＣＩとしてＰＤＣＣＨ生成部２０５へ出力し、新規データをＰＤＳＣＨ生成部２０７へ出力する。これにより、ＰＤＳＣＨ生成部２０７において新規データを含むＰＤＳＣＨの信号が生成され、無線送信部２００ｂを介して当該ＰＤＳＣＨの信号が送信信号として送信される（ステップＳ１６８）。さらに、ＰＤＣＣＨ生成部２０５において「新規情報」を含むＰＤＣＣＨの信号が生成され、無線送信部２００ｂを介して当該ＰＤＣＣＨの信号が送信信号として送信される。【０１１６】
また、再送制御部２１２は、ｅＭＢＢデータの復号結果がＮＡＣＫである場合に（ステップＳ１６７Ｎｏ）、下り回線に送信されるデータが再送データである旨を示す「再送情報」をＤＣＩとしてＰＤＣＣＨ生成部２０５へ出力し、再送データの再送をＰＤＳＣＨ生成部２０７へ指示する。これにより、ＰＤＳＣＨ生成部２０７において再送データを含むＰＤＳＣＨの信号が生成され、無線送信部２００ｂを介して当該ＰＤＳＣＨの信号が送信信号として送信される（ステップＳ１６９）。さらに、ＰＤＣＣＨ生成部２０５において「再送情報」を含むＰＤＣＣＨの信号が生成され、無線送信部２００ｂを介して当該ＰＤＣＣＨの信号が送信信号として送信される。【０１１７】
以上のように、本実施例によれば、端末装置は、ｅＭＢＢ上り回線及びＵＲＬＬＣ上り回線が設定される際に、ＡＣＫが端末装置のバッファに格納される旨を予告するＢＰを送信し、基地局装置は、ＢＰとｅＭＢＢデータの復号結果とを基に、再送制御を保留する。このため、端末装置が一度ＢＰを送信するだけで、基地局装置における再送制御を保留させることができ、実施例１のようにＡＣＫが端末装置のバッファに格納される度に端末装置がＢＳＲを送信することがなくなる。結果として、ＢＳＲの送信に伴う処理負荷を削減することができる。
【符号の説明】
【０１１８】
１００  端末装置
１０１  パスロス測定部
１０２  送信電力割当部
１０３  送信制御部
１０４  バッファ管理部
１０５  ｅＭＢＢ送信信号生成部
１０６  ＵＲＬＬＣ送信信号生成部
１０７  ＢＳＲ挿入部
１０８  ＰＤＣＣＨ復号部
１０９  ＤＣＩ判定部
１１０  ＰＤＳＣＨ復号部
１１１  ＡＣＫ／ＮＡＣＫ生成部
１２１  バッファ
１２２  選択部
１２３  バッファ制御部
１３１、２１１  上り回線設定部
１３２  ＢＰ生成部
２００  基地局装置
２０１  ｅＭＢＢデータ復号部
２０２  ＵＲＬＬＣデータ復号部
２０３  ＢＳＲ抽出部
２０４、２１２  再送制御部
２０５  ＰＤＣＣＨ生成部
２０６  電力情報管理部
２０７  ＰＤＳＣＨ生成部
２０８  再送用バッファ
【図１】
2019082279.tif 000007
【図２】
2019082279.tif 000008
【図３】
2019082279.tif 000009
【図４Ａ】
2019082279.tif 000010
【図４Ｂ】
2019082279.tif 000011
【図４Ｃ】
2019082279.tif 000012
【図４Ｄ】
2019082279.tif 000013
【図５】
2019082279.tif 000014
【図６】
2019082279.tif 000015
【図７】
2019082279.tif 000016
【図８】
2019082279.tif 000017
【図９】
2019082279.tif 000018
【図１０】
2019082279.tif 000019
【図１１】
2019082279.tif 000020
【図１２】
2019082279.tif 000021
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
第１のデータを含む上り信号及び前記第１のデータよりも優先度が高い第２のデータを含む上り信号に送信電力を割り当てる割当部と、
前記第１のデータを含む上り信号に割り当てられる送信電力が所定レベルに達しない場合に、前記第１のデータを含む上り信号の送信を停止する送信制御部と、
前記送信が停止された場合に、下り回線におけるデータの受信に成功した旨を示す前記第１のデータであるＡＣＫをバッファに格納するバッファ管理部と、
前記ＡＣＫが前記バッファに格納された旨を報告して前記データに関する再送制御を保留させるバッファ状態報告を前記第２のデータを含む上り信号を用いて送信する送信部と
を有することを特徴とする端末装置。
【請求項２】
前記バッファ状態報告に従って前記データに関する再送制御を保留する基地局装置から、前記再送制御が保留されている旨を示す保留情報を受信する受信部をさらに有し、
前記バッファ管理部は、
前記第１のデータを含む上り信号に割り当てられる送信電力が所定レベルに達し且つ前記保留情報が受信された場合に、前記バッファからＡＣＫを読み出し、
前記送信部は、
前記バッファから読み出されたＡＣＫを含む上り信号を送信することにより、前記基地局装置に前記再送制御を再開させることを特徴とする請求項１に記載の端末装置。
【請求項３】
下り回線におけるデータの受信に成功した旨を示すデータであるＡＣＫが端末装置のバッファに格納された旨を報告して前記データに関する再送制御を保留させるバッファ状態報告を受信する受信部と、
受信されたバッファ状態報告に従って、前記データに関する再送制御を保留する再送制御部と
を有することを特徴とする基地局装置。
【請求項４】
上り回線を設定する上り回線設定部と、
上り信号の送信を停止する機能を有する送信制御部と、
前記上り信号の送信が停止される場合にＨＡＲＱ−ＡＣＫをバッファに格納する機能を有するバッファ管理部と、
前記上り回線を設定する場合に、前記ＨＡＲＱ−ＡＣＫのバッファリングの予告を含む制御情報信号を、上位レイヤシグナリングとして送信する機能を有する送信部と
を有することを特徴とする端末装置。
【請求項５】
前記上り回線設定部が設定する、第１のデータを含む上り信号を送信するための第１の上り回線及び前記第１のデータよりも優先度が高い第２のデータを含む上り信号を送信するための第２の上り回線で送信する前記第１のデータを含む上り信号及び前記第２のデータを含む上り信号に送信電力を割り当てる割当部をさらに有し、
前記送信制御部は、前記第１のデータを含む上り信号に割り当てられる送信電力が所定レベルに達しない場合に、前記第１のデータを含む上り信号の送信を停止することを特徴とする請求項４に記載の端末装置。
【請求項６】
端末装置の下り回線の受信成功を示すＨＡＲＱ−ＡＣＫの送信タイミングに関する情報を、前記端末装置から受信する機能を有する回線設定部と、
前記ＨＡＲＱ−ＡＣＫの送信タイミングに関する情報により下り回線の再送制御を保留する機能を有する再送制御部と、
前記保留された再送制御を再開する旨を示す保留情報を含む下り回線制御情報信号を生成する機能を有する制御チャネル生成部と
を有することを特徴とする基地局装置。
【請求項７】
端末装置と、基地局装置とを有する無線通信システムであって、
前記端末装置は、
第１のデータを含む上り信号及び前記第１のデータよりも優先度が高い第２のデータを含む上り信号に送信電力を割り当てる割当部と、
前記第１のデータを含む上り信号に割り当てられる送信電力が所定レベルに達しない場合に、前記第１のデータを含む上り信号の送信を停止する送信制御部と、
前記送信が停止された場合に、下り回線におけるデータの受信に成功した旨を示す前記第１のデータであるＡＣＫをバッファに格納するバッファ管理部と、
前記ＡＣＫが前記バッファに格納された旨を報告して前記データに関する再送制御を保留させるバッファ状態報告を前記第２のデータを含む上り信号を用いて送信する送信部とを有し、
前記基地局装置は、
前記送信部から送信されたバッファ状態報告を受信する受信部と、
受信されたバッファ状態報告に従って、前記データに関する再送制御を保留する再送制御部とを有する
ことを特徴とする無線通信システム。
【請求項８】
端末装置と、基地局装置とを有する無線通信システムにおける無線通信方法であって、
前記端末装置は、
第１のデータを含む上り信号及び前記第１のデータよりも優先度が高い第２のデータを含む上り信号に送信電力を割り当て、
前記第１のデータを含む上り信号に割り当てられる送信電力が所定レベルに達しない場合に、前記第１のデータを含む上り信号の送信を停止し、
前記送信が停止された場合に、下り回線におけるデータの受信に成功した旨を示す前記第１のデータであるＡＣＫをバッファに格納し、
前記ＡＣＫが前記バッファに格納された旨を報告して前記データに関する再送制御を保留させるバッファ状態報告を前記第２のデータを含む上り信号を用いて送信し、
前記基地局装置は、
前記端末装置から送信されたバッファ状態報告を受信し、
受信されたバッファ状態報告に従って、前記データに関する再送制御を保留する
処理を有することを特徴とする無線通信方法。
【国際調査報告】
2019082279.tif 000022
2019082279.tif 000023